(57)【特許請求の範囲】
【請求項１】
内部底面にパルセータを回転自在に設けている洗濯兼脱水槽の内壁側面にフィルターを備えたフィルター枠を水平方向に回転可能に支持し、該フィルター枠を上記パルセータの回転に基づいて発生する水平方向の水流で回転させて水流の上流方向に上記フィルター枠の開口を開くようにしたものにおいて、
上記フィルター枠の下部の上記洗濯兼脱水槽の内壁側面上に上記パルセータ側より上記フィルター方向に進むにつれて漸次隆起する隆起部を設け、
該隆起部には洗濯水を上記フィルター枠の上記開口方向に導く導水路を形成し、
上記パルセータの回転に基づいて上記洗濯兼脱水槽下方から上方に向けて吹き上げる洗濯水を上記導水路を介して上記フィルターに導くようにしたことを特徴とするフィルター装置付き洗濯機。
【請求項２】
内部底面にパルセータを回転自在に設けている洗濯兼脱水槽の内壁側面にフィルターを備えたフィルター枠を水平方向に回転可能に支持し、該フィルター枠を上記パルセータの回転に基づいて発生する水平方向の水流で回転させて水流の上流方向に上記フィルター枠の開口を開くようにしたものにおいて、
上記フィルター枠の上部の上記洗濯兼脱水槽の内壁側面上に上記フィルターの上方から上記フィルター方向に進むにつれて漸次隆起する隆起部を設け、
該隆起部には洗濯水を上記フィルター枠の上記開口方向に導く導水路を形成し、
上記パルセータの回転に基づいて洗濯兼脱水槽上部から下方に向けて流れる洗濯水を上記導水路を介して上記フィルターに導くようにしたことを特徴とするフィルター装置付き洗濯機。
【請求項３】
内部底面にパルセータを回転自在に設けている洗濯兼脱水槽の内壁側面にフィルターを備えたフィルター枠を水平方向に回転可能に支持し、該フィルター枠を上記パルセータの回転に基づいて発生する水平方向の水流で回転させて水流の上流方向に上記フィルター枠の開口を開くようにしたものにおいて、
上記フィルター枠の両側部における上記洗濯兼脱水槽の内壁側面上に該洗濯兼脱水槽の内周方向に沿って上記フィルター方向に進む水平方向に対して傾斜した導水路を設け、
前記傾斜の方向は、導水路の入口側よりフィルターの開口部に進むにつれて漸次上りとなっており、
上記パルセータの回転に基づいて洗濯兼脱水槽の内周面に沿って流れる洗濯水を上記導水路を介して上記フィルターに導くようにしたことを特徴とするフィルター装置付き洗濯機。
【請求項４】
前記導水路は、前記フィルター枠の左右の板面上に上下方向において略等間隔に突設した複数個のリブの間に形成されていることを特徴とする請求項３に記載のフィルター装置付き洗濯機。
【請求項５】
上記洗濯兼脱水槽の内壁側面に上記フィルター枠を上下より支持するフィルター取付部を設け、上記フィルター取付部と上記フィルター枠とを両者に設けた軸部と軸孔で回転可能に支持し、かつこれら軸部と軸孔の形状を上部と下部で異ならせたことを特徴とする請求項１乃至請求項４に記載のフィルター装置付き洗濯機。
【請求項６】
上記フィルター枠の開口を下部よりも上部を広くしたことを特徴とする請求項１乃至請求項５に記載のフィルター装置付き洗濯機。
【発明の詳細な説明】
【０００１】
【発明の属する技術分野】
本発明はフィルター装置付き洗濯機の改良に関するものである。
【０００２】
【従来の技術】
従来のフィルター装置付き洗濯機は特開平７−１８５１９２号公報などに開示されており、図１２に示すような構造を備えている。即ち、洗濯機本体１内に懸架手段３７により弾性的に支持された水槽２内に底面に回転によって水流を発生させるパルセータ４を備えた洗濯兼脱水槽３を回転自在に支持するとともに水槽２の下方に設置した洗濯モータ５の回転力をクラッチ機能付減速機構６を介して上記洗濯兼脱水槽３及びパルセータ４に伝達する構成となっている。そして、上記洗濯兼脱水槽３の側壁面中腹にフィルター装置３０が設けられている。
【０００３】
このフィルター装置３０は、図１３の分解斜視図及び図１４の上面断面図に示すように、洗濯兼脱水槽３の側壁面にフィルター取付部３１ａ、３１ｂを固定して設けるとともにフィルター３２の開口部３２ａを縁取ったフィルター枠３３の上部中央並びに下部中央に形成した軸部３４ａ、３４ｂを上記フィルター取付部３１ａ、３１ｂに設けた各軸孔３５ａ、３５ｂ（３５ａは不図示）に嵌合することにより、フィルター３２を軸部３４ａ、３４ｂを中心に左右に揺動可能に取り付けている。
【０００４】
このような構造において、洗濯兼脱水槽３内の洗濯水がフィルター部３０の近傍で矢印Ｙ方向に流れる場合には、フィルター枠３３はその水流により軸部３４ａ、３４ｂを中心に反時計方向に回転させられてフィルター３２の開口部３２ａを図中左側に開口させ、洗濯兼脱水槽３内を流れる洗濯水をフィルター３２内に受け入れて該洗濯水に含まれる糸屑等を捕獲する。また、洗濯水の流れる方向が反転して右から左に流れる場合（矢印Ｘ）には、逆にフィルター枠３３は時計方向に回転させられてフィルター３２の開口部３２ａを右側に開口してフィルター内に洗濯水を受け入れ、糸屑等を捕獲する。
【０００５】
【発明が解決しようとする課題】
しかしながら、上記従来のフィルター装置付き洗濯機では、フィルター３２近傍での水流しかフィルター部を通過しないため、洗濯水の水位がフィルター３２の下方に位置する少量の洗濯物で洗う場合には、洗濯水がフィルター３２を通過せず、糸屑等を捕獲することができなかった。
【０００６】
また、一方多量の洗濯物を洗濯する場合で、洗濯水の水位がフィルター３２より上部にある場合には、洗濯水上面を浮遊する糸屑等がフィルター３２を通過しないため、十分糸屑等を捕獲することができないと言う欠点があった。
【０００７】
【課題を解決するための手段】
本発明は上記従来のフィルター装置付き洗濯機の問題点に鑑みて発明されたものであり、請求項１に記載された発明のフィルター装置付き洗濯機は、内部底面にパルセータを回転自在に設けている洗濯兼脱水槽の内壁側面にフィルターを備えたフィルター枠を水平方向に回転可能に支持し、該フィルター枠を上記パルセータの回転に基づいて発生する水平方向の水流で回転させて水流の上流方向に上記フィルター枠の開口を開くようにしたものにおいて、上記フィルター枠の下部の上記洗濯兼脱水槽の内壁側面上に上記パルセータ側より上記フィルター方向に進むにつれて漸次隆起する隆起部を設け、該隆起部には洗濯水を上記フィルター枠の上記開口方向に導く導水路を形成し、上記パルセータの回転に基づいて上記洗濯兼脱水槽下方から上方に向けて吹き上げる洗濯水を上記導水路を介して上記フィルターに導くようにしたものである。
【０００８】
この構成によれば、パルセータが回転すれば、洗濯兼脱水槽下方から上方に向けて吹き上げられる洗濯水が上記導水路を介して上記フィルターに導かれる。その結果、洗濯兼脱水槽下部の洗濯水が強制的にフィルターに向けて送られ、効率よく洗濯水に含まれる糸屑等を捕獲することができる。
【０００９】
請求項２に記載された発明のフィルター装置付き洗濯機は、内部底面にパルセータを回転自在に設けている洗濯兼脱水槽の内壁側面にフィルターを備えたフィルター枠を水平方向に回転可能に支持し、該フィルター枠を上記パルセータの回転に基づいて発生する水平方向の水流で回転させて水流の上流方向に上記フィルター枠の開口を開くようにしたものにおいて、上記フィルター枠の上部の上記洗濯兼脱水槽の内壁側面上に上記フィルターの上方から上記フィルター方向に進むにつれて漸次隆起する隆起部を設け、該隆起部には洗濯水を上記フィルター枠の上記開口方向に導く導水路を形成し、上記パルセータの回転に基づいて洗濯兼脱水槽上部から下方に向けて流れる洗濯水を上記導水路を介して上記フィルターに導くようにしたものである。
【００１０】
この構成によれば、パルセータ回転中に洗濯兼脱水槽内壁側面付近で上昇した水位がパルセータ反転前の回転停止時に降下する際に、洗濯兼脱水槽上部から下方に向けて流れる洗濯水を上記導水路を介して上記フィルターに導くことになる。その結果、洗濯兼脱水槽上部の洗濯水が強制的にフィルターに向けて送られ、効率よく洗濯水に含まれる糸屑等を捕獲することができる。
【００１１】
請求項３に記載された発明のフィルター装置付き洗濯機は、内部底面にパルセータを回転自在に設けている洗濯兼脱水槽の内壁側面にフィルターを備えたフィルター枠を水平方向に回転可能に支持し、該フィルター枠を上記パルセータの回転に基づいて発生する水平方向の水流で回転させて水流の上流方向に上記フィルター枠の開口を開くようにしたものにおいて、上記フィルター枠の両側部における上記洗濯兼脱水槽の内壁側面上に該洗濯兼脱水槽の内周方向に沿って上記フィルター方向に進む水平方向に対して傾斜した導水路を設け、前記傾斜の方向は、導水路の入口側よりフィルターの開口部に進むにつれて漸次上りとなっており、上記パルセータの回転に基づいて洗濯兼脱水槽の内周面に沿って流れる洗濯水を上記導水路を介して上記フィルターに導くようにしたものである。
【００１２】
この構成によれば、パルセータが回転すれば、該パルセータの回転に基づいて洗濯兼脱水槽の内周面に沿って流れる洗濯水を上記導水路を介して上記フィルターに導くことになる。その結果、洗濯兼脱水槽内周面に沿って流れる洗濯水が強制的にフィルターに向けて送られ、効率よく洗濯水に含まれる糸屑等を捕獲することができる。
【００１３】
請求項４に記載された発明のフィルター装置付き洗濯機は、前記導水路が前記フィルター枠の左右の板面上に上下方向において略等間隔に突設した複数個のリブの間に形成されているものである。
【００１９】
請求項５に記載された発明のフィルター装置付き洗濯機は、上記洗濯兼脱水槽の内壁側面に上記フィルター枠を上下より支持するフィルター取付部を設け、上記フィルター取付部と上記フィルター枠とを両者に設けた軸部と軸孔で回転可能に支持し、かつこれら軸部と軸孔の形状を上部と下部で異ならせたものである。
【００２０】
この構成によれば、フィルター取付部とフィルター枠の軸部と軸孔の形状を上部と下部で異ならせているので、正規の状態でなければ両者を嵌めることができない。その結果、フィルター取付部にフィルター枠を誤った方向に嵌めようとしても、嵌めることができず、従って、両者を常に正規の状態に嵌めることができる。
【００２１】
請求項６に記載された発明のフィルター装置付き洗濯機は、上記フィルター枠の開口を下部よりも上部を広くしている。この構成によれば、洗濯兼脱水槽の上部の洗濯水が下部よりも多くフィルター内に取り込まれる。その結果、洗濯水が強制的にフィルターに向けて送られ、洗濯兼脱水槽の上部の洗濯水に浮遊している糸屑等を効率よく捕獲することができる。
【００２２】
【発明の実施の形態】
以下、本発明の実施態様を図に従って詳細に説明する。
【００２３】
第１の実施態様；
［構成］
図１は本発明にかかる洗濯機の第１の実施態様の構成を示す側面断面概略図である。この図において、説明の便宜上、従来の洗濯機と同一部分には同一符号を付している。従って、１は洗濯機本体、２は該洗濯機本体１内に懸架手段（不図示）で弾性的に支持された水槽、３は該水槽２内に水平回転できるように槽軸３ａで支持された洗濯兼脱水槽、４は該洗濯兼脱水槽３内に水平回転できるようにパルセータ軸４ａに支持されたパルセータである。５は上記水槽２の下部に設けられた洗濯モータであり、駆動力をクラッチ機能付減速機構６を介して脱水時には上記槽軸３ａに、洗濯時にはパルセータ軸４ａに選択的に伝達する。
【００２４】
７はフィルター装置であり、そのフィルター取付台板８が洗濯兼脱水槽３の側壁に図示しないネジ等の固定手段で固定されている。このフィルター取付台板８は、図２の側面断面図及び図３の正面図に示すように、その横方向の中央部における上下の位置にフィルター取付部９ａ、９ｂを形成しており、フィルター１０の開口部１０ａを縁取ったフィルター枠１１の上部中央並びに下部中央に形成した軸部１２ａ、１２ｂを上記取付部９ａ、９ｂに設けた各軸孔１３ａ、１３ｂに嵌合することにより、フィルター１０をフィルター枠１１共々軸部１２ａ、１２ｂを中心に左右に揺動可能に取り付けている。
【００２５】
そして、上記フィルター取付台板８は、上記フィルター枠１１の左右の板面上に上下方向において略等間隔に突設した複数個の流導リブ１４を一体成型して、これら流導リブ１４の間に導水路１５を形成しており、洗濯兼脱水槽３内に水流が発生すると、この洗濯水を各導水路１５に沿ってフィルター１０の方向に導くようになっている。
【００２６】
尚、これら流導リブ１４は最上部のリブは水平であるが、次段の流導リブ１４より順次下部に位置する流導リブの方が水平面に対して傾斜が大きくなるように形成されている。そして、それらの傾斜方向はフィルター取付台板８の周縁より内方に進むにつれて、即ち、導水路１５の入口側よりフィルター１０の開口部１０ａに進むにつれて、漸次上り傾斜となっている。これは、下方から吹き上げられる水流の抵抗を小さくすることを意図しているからである。
【００２７】
また、上記フィルター取付台板８は、その上端と下端部に図に示すように夫々２つの導水路１６及び１７を形成するように隆起部１８、１９を一体成型している。これら導水路１６、１７は洗濯水をフィルター１０の方向に導くようにその入口側より内方に進むにつれて漸次隆起し、かつ傾斜して形成されている。
【００２８】
上記フィルター枠１１の上端部とフィルター取付台板８の上端部の関係であるが、本実施態様では、図２に示すように、フィルター枠１１の上端部１１ａを湾曲した形状にして弾性を持たせるとともにこの上端部１１ａ上に上記軸部１２ａを設け、一方フィルター取付台板８上部の隆起部１８の前面を傾斜面１８ａとし、そして、軸部１２ａを軸孔１３ａに嵌合させるには、先にフィルター枠１１の下方の軸部１２ｂをフィルター取付台板８の下方の軸孔１３ｂに嵌合し、そして、軸部１２ｂを軸心としてフィルター枠１１を回転させて押し込めば、上端部１１ａの軸部１２ａが上記傾斜面１８ａに摺接することによって上端部１１ａが湾曲し、その結果、上端部の軸部１２ａが軸孔１３ｂに嵌合する。
【００２９】
フィルタ１０内に溜まった糸屑等を廃棄する際には、フィルタ枠１１を上方へ押し上げて上端部１１ａを湾曲させて下方の軸部１２ｂを軸孔１３ｂから抜いた後、軸部１２ａを軸孔１３ａから抜くことによってフィルタ枠１１を取り外すことができるようになっている。
【００３０】
また、本実施態様では、フィルター枠１１の上下の端部に上記のように軸部１２ａ、１２ｂを有しているが、本実施態様では、これら軸部１２ａ、１２ｂの直径とこれら軸部に嵌合するフィルター取付台板８の軸孔１３ａ、１３ｂの直径の関係を次のような大きさに設定している。
【００３１】
0003722618.tif 000002
【００３２】
従って、フィルター枠１１の上下を間違って該フィルター枠１１をフィルター取付台板８に取り付けようとしても、軸部と軸孔の直径が合わないため、両者を嵌めることができない。
【００３３】
軸部と軸孔の嵌合の関係の他の実施態様として、本発明では図４及び図５の概略側面図に示すものを提案している。図４の実施態様では、フィルター枠１１の上端部に突起部１１ｂを設け、図のように万一フィルター枠１１を逆転してフィルター取付台板８に嵌合しようとしたとき、突起部１１ｂの先端がフィルター取付台板８の下端部の突当面８ｂに当接して嵌合を阻止する。フィルター取付板８の上端部には突起部１１ｂと当接しないように逃がし溝８ａが設けられている。
【００３４】
また、図５の実施態様では、フィルター枠１１の上端部の軸部１２ａの長さを下端部の軸部１２ｂ（図２参照）に比較して長くするとともにフィルター取付台板８の下端部の軸孔１３ｂの下方に阻止片８ｃを設け、図のように万一フィルター枠１１を逆転してフィルター取付台板８に嵌合しようとしたとき、フィルター枠１１の上端部の軸部１２ａが軸孔１３ｂを挿通した後阻止片８ｃに当接し、嵌合を阻止する。
【００３５】
［作用］
以上の構成において、洗濯モータ５の駆動により、クラッチ機能付減速機構６を介してパルセータ４が正逆回転すると、洗濯兼脱水槽３の内底部では、図６に示すように、洗濯兼脱水槽３の中心部から外側へ底部から上部へ吹き上がる水流Ａが発生する。
【００３６】
この水流Ａが、上記フィルター取付台板８に形成された導水路１７（図３参照）を通ってフィルター１０の開口部１０ａからフィルター１０内に入り、洗濯水中の糸屑等が捕獲される。このとき、フィルター取付台板８の下端部の隆起部１９（図３参照）が、洗濯物がフィルター１０方向に流れこむのを阻止し、洗濯水のみがフィルターに流れ込むようにしている。
【００３７】
また、このパルセータ４の正逆回転の際、発生する水流は図５に矢印Ｃで示すように、渦巻状であり、洗濯兼脱水槽３の底部に近い程、上向きの力が強い水流となっている。この水流が導水路１５を通り、フィルター１０へ導かれるが、上記のように、これら導水路１５を形成している各流導リブ１４が傾斜面を備えているため、上記上向き水流に対して効率よく、抵抗が少ない状態で洗濯水をフィルター１０に導くことができる。
【００３８】
また、このような洗濯動作においてパルセータ４の正転、停止、逆転の繰り返し課程において、パルセータ４の回転が停止したとき、洗濯兼脱水槽３の内周面に吹き上がった洗濯水が下方に引き戻される。この水流Ｂが図３に示されるように、フィルター１２の上方に位置する場合、導水路１６を通ってフィルター１０の開口部１０ａからフィルター１０内に入り、洗濯水中の糸屑等が捕獲される。このとき、フィルター取付台板８の上端部の隆起部１８が、洗濯物がフィルター１０方向に流れこむのを阻止し、洗濯水のみがフィルター１０に流れ込むようにしている。
【００３９】
第２の実施態様；
［構成］
図７は第２の実施態様を示す側面断面概略図であり、この図から明らかなようにこの実施態様では、フィルター取付台板８の下端部が上記パルセータ４の外周に位置するところまで延出部２８によって延出され、洗濯兼脱水槽３の底面との間に洗濯水導入路２１を形成している。更に、この実施態様では、フィルター取付台板８の中央部に上記洗濯水導入路２１に通ずる開口２２を設け、該洗濯水導入路２１より取り入れた水をフィルター１０に導くようになっている。
【００４０】
［作用］
以上の構成により、パルセータ４が回転すると、パルセータ４の下方の洗濯水がパルセータ４の回転に応じてパルセータ４裏面に設けられた裏翼４ａの作用により外周方向に押し出され、水流Ｄが上記洗濯水導入路２１よりフィルター取付台板８の裏側に入り込むとともに洗濯兼脱水槽３とフィルター取付台板８との間の通路２３を通って開口２２よりフィルター１０に導かれ、糸屑等が捕獲される。
【００４１】
第３の実施態様；
［構成］
図８の側面断面概略図及び図９の上面図は第３の実施態様を示す図であり、この図から明らかなようにこの実施態様では、洗濯兼脱水槽３の底面中央に一部を除いて略環状の包囲リブ２４を設けて上記パルセータ４の下面とともにポンプ室３ｃを形成し、そして該包囲リブ２４の環状形の上記一部を除いた部分より、該包囲リブ２４の両先端を延長して上記フィルター装置７のある洗濯兼脱水槽３の底部外周部に導くことによって放出路３ｂを形成している。
【００４２】
［作用］
以上の構成により、パルセータ４の回転で該パルセータ４の下面に設けている裏翼４ａが回転すると、上記ポンプ室３ｃに位置する洗濯水が、該ポンプ室３ｃより矢印Ｅのように吐き出され、放出路３ｂを介してパルセータ４の外周部から上方のフィルター装置７に向けて集中的に吐出される。その結果、洗濯兼脱水槽３底部の洗濯水に含まれる糸屑等がフィルター１０によって捕獲される。
【００４３】
第４の実施態様；
［構成］
図１０は第４の実施態様を示す側面断面概略図であり、この図から明らかなようにこの実施態様では、洗濯兼脱水槽３の側壁に該側壁に沿って上下に伸びる水路２５を形成し、そして該水路２５の上端に開口２５ａを設けているとともに下端部を上記パルセータ４の下面に臨ませ該パルセータ４の下面に開口２５ｂを設けている。
【００４４】
そして、この実施態様では、上記水路２５の壁面にフィルター取付台板８を取り付けるとともに該フィルター取付台板８の下端を上記パルセータ４の外周部まで垂下延在させて水路２５の側面との間に吐出水路２６を形成している。
【００４５】
［作用］
以上の構成により、パルセータ４の回転で洗濯兼脱水槽３内に洗濯水の水流が発生するとともにパルセータ４の吸引力により開口２５ａから洗濯兼脱水槽３内の上面の洗濯水が水流Ｆのように水路２５内に流れ込み、該水路２５を経て水流Ｆ’のようにパルセータ４の下面に放出される。そして、再び洗濯水は裏翼４ａの作用によってパルセータ４の下面を矢印Ｄのように流れてパルセータ４の外周に吐出され、上記吐出水路２６を経てフィルター１０に導かれる。その結果、洗濯兼脱水槽３底部だけでなく上部の洗濯水中の糸屑等を捕獲する。
【００４６】
第５の実施態様；
［構成］
図１１は第５の実施態様を示す側面断面概略図であり、この図から明らかなようにこの実施態様ではフィルター取付台板８の上部の取付部９ａを下部の取付部９ｂより内方へ向けて長くし、フィルター枠１１を傾斜して設けている。そして、フィルター１０の開口部１０ａの上部を下部より広く形成している。
【００４７】
［作用］
以上の構成により、パルセータ４の回転で洗濯兼脱水槽３内に洗濯水の水流が発生すると、フィルター枠１１の上部が広く開放されたことにより、より多量の洗濯兼脱水槽３上部の洗濯水がフィルター１０に流れ込み、上部に浮遊する糸屑等を効率良く捕獲することができる。
【００４８】
【発明の効果】
本発明は上述のように構成されるものであり、請求項１に記載された発明のフィルター装置付き洗濯機は、内部底面にパルセータを回転自在に設けている洗濯兼脱水槽の内壁側面にフィルターを備えたフィルター枠を水平方向に回転可能に支持し、該フィルター枠を上記パルセータの回転に基づいて発生する水平方向の水流で回転させて水流の上流方向に上記フィルター枠の開口を開くようにしたものにおいて、上記フィルター枠の下部の上記洗濯兼脱水槽の内壁側面上に上記パルセータ側より上記フィルター方向に進むにつれて漸次隆起する隆起部を設け、該隆起部には洗濯水を上記フィルター枠の上記開口方向に導く導水路を形成し、上記パルセータの回転に基づいて上記洗濯兼脱水槽下方から上方に向けて吹き上げる洗濯水を上記導水路を介して上記フィルターに導くようにした構成である。
【００４９】
この発明によれば、パルセータが回転すれば、洗濯兼脱水槽下方から上方に向けて吹き上げられる洗濯水が上記導水路を介して上記フィルターに導かれることになるから、洗濯兼脱水槽下部の洗濯水が強制的にフィルターに向けて送られ、効率よく洗濯水に含まれる糸屑等を捕獲することができる。
【００５０】
また、請求項２に記載された発明のフィルター装置付き洗濯機は、内部底面にパルセータを回転自在に設けている洗濯兼脱水槽の内壁側面にフィルターを備えたフィルター枠を水平方向に回転可能に支持し、該フィルター枠を上記パルセータの回転に基づいて発生する水平方向の水流で回転させて水流の上流方向に上記フィルター枠の開口を開くようにしたものにおいて、上記フィルター枠の上部の上記洗濯兼脱水槽の内壁側面上に上記フィルターの上方から上記フィルター方向に進むにつれて漸次隆起する隆起部を設け、該隆起部には洗濯水を上記フィルター枠の上記開口方向に導く導水路を形成し、上記パルセータの回転に基づいて洗濯兼脱水槽上部から下方に向けて流れる洗濯水を上記導水路を介して上記フィルターに導くようにした構成である。
【００５１】
この発明によれば、パルセータが回転すれば、該パルセータの回転に基づいて洗濯兼脱水槽上部から下方向けて流れる洗濯水を上記導水路を介して上記フィルターに導くことになるから、洗濯兼脱水槽上部の洗濯水が強制的にフィルターに向けて送られ、効率よく洗濯水に含まれる糸屑等を捕獲することができる。
【００５２】
また、請求項３に記載された発明のフィルター装置付き洗濯機は、内部底面にパルセータを回転自在に設けている洗濯兼脱水槽の内壁側面にフィルターを備えたフィルター枠を水平方向に回転可能に支持し、該フィルター枠を上記パルセータの回転に基づいて発生する水平方向の水流で回転させて水流の上流方向に上記フィルター枠の開口を開くようにしたものにおいて、上記フィルター枠の両側部における上記洗濯兼脱水槽の内壁側面上に該洗濯兼脱水槽の内周方向に沿って上記フィルター方向に進む水平方向に対して傾斜した導水路を設け、前記傾斜の方向は、導水路の入口側よりフィルターの開口部に進むにつれて漸次上りとなっており、上記パルセータの回転に基づいて洗濯兼脱水槽の内周面に沿って流れる洗濯水を上記導水路を介して上記フィルターに導くようにした構成である。
さらに、請求項４に記載された発明のフィルター装置付き洗濯機では、前記導水路が、前記フィルター枠の左右の板面上に上下方向において略等間隔に突設した複数個のリブの間に形成されている。
【００５３】
これらの発明によれば、パルセータが回転すれば、該パルセータの回転に基づいて洗濯兼脱水槽の内周面に沿って流れる洗濯水を上記導水路を介して上記フィルターに導くことになるから、洗濯水が強制的にフィルターに向けて送られ、効率よく洗濯水に含まれる糸屑等を捕獲することができる。
【００６０】
また、請求項５に記載された発明のフィルター装置付き洗濯機は、上記洗濯兼脱水槽の内壁側面に上記フィルター枠を上下より支持するフィルター取付部を設け、上記フィルター取付部と上記フィルター枠とを両者に設けた軸部と軸孔で回転可能に支持し、かつこれら軸部と軸孔の形状を上部と下部で異ならせた構成である。
【００６１】
この発明によれば、フィルター取付部とフィルター枠の軸部と軸孔の形状を上部と下部で異ならせているので、正規の状態でなければ両者を嵌めることができないことから、フィルター取付部にフィルター枠を誤った方向に嵌めようとしても、嵌めることができず、従って、両者を常に正規の状態に嵌合することができる。
【００６２】
また、請求項６に記載された発明のフィルター装置付き洗濯機は、上記フィルター枠の開口を下部よりも上部を広くした構成である。この発明によれば、洗濯兼脱水槽の上部の洗濯水が下部よりも多くフィルター内に取り込まれ、洗濯兼脱水槽の上部の洗濯水に浮遊している糸屑等をより効率よく捕獲することができる。
【図面の簡単な説明】
【図１】本発明の第１の実施態様に係るフィルター装置付き洗濯機の側面断面概略図である。
【図２】同洗濯機のフィルター装置部を分解している状態を示す側面断面図である。
【図３】同洗濯機のフィルター装置部の正面図である。
【図４】同フィルター装置の異なる実施態様を示す要部概略側面図である。
【図５】同フィルター装置の他の異なる実施態様を示す要部概略側面図である。
【図６】同洗濯機の動作状態を示している説明図である。
【図７】本発明の第２の実施態様に係るフィルター装置付き洗濯機の洗濯兼脱水槽の側面断面概略図である。
【図８】本発明の第３の実施態様に係るフィルター装置付き洗濯機の洗濯兼脱水槽の側面断面概略図である。
【図９】同洗濯機の洗濯兼脱水槽の底面を示す上面図である。
【図１０】本発明の第４の実施態様に係るフィルター装置付き洗濯機の要部側面断面概略図である。
【図１１】本発明の第５の実施態様に係るフィルター装置付き洗濯機の要部側面断面概略図である。
【図１２】従来のフィルター装置付き洗濯機の側面断面概略図である。
【図１３】同従来の洗濯機のフィルター装置の分解斜視図である。
【図１４】同従来の洗濯機のフィルター装置の上面断面図である。
【符号の説明】
１    洗濯機本体
２    水槽
３    洗濯兼脱水槽
３ｃ  ポンプ室
４    パルセータ
７    フィルター装置
８    フィルター取付台板
９    フィルター取付部
１０    フィルター
１１    フィルター枠
１２    軸部
１３    軸孔
１４    流導リブ
１５    導水路
１６    導水路
１７    導水路
１８    隆起部
１９    隆起部
２１    洗濯水導入路
２５    水路
【図１】
0003722618.tif 000003
【図２】
0003722618.tif 000004
【図３】
0003722618.tif 000005
【図４】
0003722618.tif 000006
【図５】
0003722618.tif 000007
【図６】
0003722618.tif 000008
【図７】
0003722618.tif 000009
【図８】
0003722618.tif 000010
【図９】
0003722618.tif 000011
【図１０】
0003722618.tif 000012
【図１１】
0003722618.tif 000013
【図１２】
0003722618.tif 000014
【図１３】
0003722618.tif 000015
【図１４】
0003722618.tif 000016